【事件の表示】
　特願２００５−３３５７７１「マルチメディア再生システムのクラスター化機能選択を迅速に起動する方法」拒絶査定不服審判事件〔平成１９年　２月　８日出願公開、特開２００７−　３５０１３〕について、次のとおり審決する。
【結　論】
　本件審判の請求は、成り立たない。
【理　由】
第１．手続の経緯と本願発明
　本願は、平成１７年１１月２１日（パリ条約による優先権主張２００５年７月２２日、台湾）の出願であって、平成２０年１０月１５日付けで拒絶理由通知がなされ、平成２１年２月１７日付けで意見書が提出されると共に手続補正がなされたが、同年６月２日付けで拒絶査定がなされ、これに対して、同年１０月９日付けで審判請求がなされたものである。
　
　そして、本願の請求項１に係る発明は、平成２１年２月１７日付けの手続補正により補正された明細書、特許請求の範囲及び図面に記載からみて、次の事項により特定されるものであると認める。
「コンピュータ中にはデータ保存メディア、システムメモリ、BIOS、複数のショートカットキー、複数のマルチメディア再生装置を接続し、
　　該データ保存メディア中にはOS、該複数のマルチメディア再生装置の駆動プログラム、複数のマルチメディア再生装置のアプリケーションプログラム、装置起動クラスター表を保存し、
　　該装置起動クラスター表中には該各マルチメディア再生装置の機能属性に応じて各ショートカットキーが対応するマルチメディア再生装置の駆動プログラム、マルチメディア再生装置のアプリケーションプログラム、マルチメディア再生装置を定義し、
　　本発明の方法は以下のステップを包含し、
　　(a)操作された各ショートカットキーの状態を探知し、
　　(b)任意のショートカットキーが操作されたことを探知すると、該コンピュータはシステム起動作業を実行し、
　　(c)該コンピュータは該データ保存メディア中より該装置起動クラスター表を該システムメモリ中のランダムアクセス領域中に読み込み、
　　(d)該装置起動クラスター表中に予め定義される指示に基づき、該操作されたショートカットキーが対応するマルチメディア再生装置の駆動プログラムを実行し、
　　(e)該操作されたショートカットキーが対応するマルチメディア再生装置のアプリケーションプログラムを実行し、
　　(f)該操作されたショートカットキーが対応するマルチメディア再生装置を作動し、該操作されていないショートカットキーが対応する他のマルチメディア再生装置は作動しないことを特徴とするマルチメディア再生システムを迅速に起動する方法。」
　
　なお、平成２１年２月１７日付けの手続補正により補正された請求項１には、
「(d)該装置起動クラスター中に予め定義される指示に基づき、該操作されたショートカットキーが対応するマルチメディア再生装置の駆動プログラムを実行し」、
と記載されている。
　しかし「装置起動クラスター中」で「指示」が「予め定義される」とは認められず、そして、同項には「装置起動クラスター表中には該各マルチメディア再生装置の機能属性に応じて各ショートカットキーが対応するマルチメディア再生装置の駆動プログラム、マルチメディア再生装置のアプリケーションプログラム、マルチメディア再生装置を定義」すると記載されている。さらには、本願の請求項３〜５には、「該装置起動クラスター表中に予め定義される指示」と記載されている。
　以上から、前記「(d)該装置起動クラスター中に予め定義される指示に基づき」の記載は“(d)該装置起動クラスター表中に予め定義される指示に基づき”の誤記であることは明らかである。そこで、本願の請求項１に係る発明（以下、「本願発明」という。）を、上記のように認定した。
　
　
第２．引用文献
１．引用文献の記載事項
　原査定の拒絶の理由に引用された、本願優先権主張日前に頒布された刊行物である特開２０００−０２０２８５号公報（以下「引用文献」という。）には、次の事項が記載されている（下線は、参考のため、当審において付した。）。
Ａ．「【０００５】
【発明が解決しようとする課題】このような方法では、電源スイッチをオンにした後、システム上でソフトウェアが動作可能な状態になってからでないとオペレーティングシステムの切り換えが行なえないため、当初より第２のオペレーティングシステムを起動したいような場合であっても、一旦、第１のオペレーティングシステムを起動するといった余計な手間を費やさざるを得ないといった問題があった。
　……（中略）……
【０００８】
【課題を解決するための手段】
この発明のコンピュータシステムは、前述の目的を達成するために、システムを所望の状態に起動させるための選択スイッチを設け、
その選択スイッチの押下または状態に応じて、複数のオペレーティングシステムの中のいずれか一つを起動するようにした
　
Ｂ．「【００１５】
【発明の実施の形態】以下、図面を参照してこの発明の一実施形態を説明する。図１は、この発明の実施形態に係るコンピュータシステムの概略構成を示す図である。
図１に示すように、このコンピュータシステムは、ＣＰＵ１１、システムメモリ１２、ＢＩＯＳ−ＲＯＭ１３、電源コントローラ（ＰＳＣ）１４、磁気ディスク装置（ＨＤＤ）１５、ＣＤ−ＲＯＭドライブ１６、リムーバブルデバイス１７、ＤＶＤドライブ１８、ディスプレイコントローラ１９およびキーボードコントローラ２０などを備えており、これらはシステムバスを介して相互に接続されている。また、電源コントローラ（ＰＳＣ）１４には、用途別に設けられた複数の選択スイッチ１４１が接続されている。
このコンピュータシステムは、この電源コントローラ（ＰＳＣ）１４に接続された選択スイッチ１４１によって、ユーザがシステムの起動状態を選択できるようになっている。
【００１６】ＣＰＵ１１は、このコンピュータシステム全体の制御を司るものであり、システムメモリ１２に格納されたオペレーティングシステムやユーティリティを含むアプリケーションプログラムおよびＢＩＯＳ−ＲＯＭ１３に格納されたシステムルーチンを実行制御する。
【００１７】システムメモリ１２は、このコンピュータシステムの主記憶となるメモリデバイスであり、ＣＰＵ１１によって実行制御されるオペレーティングシステムやユーティリティを含むアプリケーションプログラムおよびこれらの実行に用いられる処理データを格納する。
【００１８】ＢＩＯＳ−ＲＯＭ１３は、システムの電源投入直後に実行されるシステム内の各種デバイスを起動するためのシステムブートルーチン、システム内の各種デバイスを検査するためのシステムチェックルーチン、システム内の各種デバイスを初期化するためのシステムイニシャライズルーチンおよびオペレーティングシステム（またはオペレーティングシステムをシステムメモリ１２にロードして起動するためのローダ）を起動するためのオペレーティングシステムブートルーチンなどを格納するメモリデバイスである。
【００１９】電源コントローラ（ＰＳＣ）１４は、このコンピュータシステムの電源の供給／遮断を一元的に管理するものであり、
用途別に設けられた複数の選択スイッチ１４１
　
Ｃ．「【００２１】図２には、
この選択スイッチ１４１群が配置されるコンピュータシステムの筐体（一部分）の外観が示されており、ここでは、用途別に「ＰＣ１」、「ＰＣ２」、「ＰＣ３」、「ＣＤ」、「ＤＶＤ」および「ＧＡＭＥ」の選択肢が設けられている
【００２２】このうち、
「ＰＣ１」〜「ＰＣ３」は、磁気ディスク装置（ＨＤＤ）１５やリムーバブルデバイス１７など、それぞれに対応づけられた記録媒体（または同一記録媒体上の異なる記録領域）に格納されたオペレーティングシステムを起動するためのスイッチである
すなわち、この「ＰＣ１」〜「ＰＣ３」は、このコンピュータシステムを所望のオペレーティングが稼動するパーソナルコンピュータとして動作させるためのスイッチである。また、「ＣＤ」は、このコンピュータシステムをＣＤプレーヤとして動作させるアプリケーションプログラムを動作制御するのに必要な最小限の機能をもつオペレーティングシステムを起動するためのスイッチであり、「ＤＶＤ」は、このコンピュータシステムをＤＶＤプレーヤとして動作させるアプリケーションプログラムを動作制御するのに必要な最小限の機能をもつオペレーティングシステムを起動するためのスイッチである
この「ＣＤ」および「ＤＶＤ」のスイッチに対応づけられたオペレーティングシステム（および、そのオペレーティングシステムをシステムメモリ１２にロードして起動するためのローダ）は、磁気ディスク装置（ＨＤＤ）１５上の予め定められた領域に格納されるものであり、また、これらのオペレーティングシステムは、その起動後に、このコンピュータシステムをＣＤプレーヤとして動作させるアプリケーションプログラムまたはＤＶＤプレーヤとして動作させるアプリケーションプログラムを自動的に起動する。
　
Ｄ．「【００２３】また、
磁気ディスク装置（ＨＤＤ）１５
は、このコンピュータシステムの外部記憶となるメモリデバイスであり、これらのメモリデバイス上に、排他選択的に起動される複数のオペレーティングシステム（および、それらをシステムメモリ１２にロードして起動するためのローダ）が格納されている
　
Ｅ．「【００２６】図４は、この実施形態の電源コントローラ（ＰＳＣ）１４の動作手順を説明するためのフローチャートである。電源コントローラ（ＰＳＣ）１４は、
システムが電源オフの状態にあるとき、すべての選択スイッチ１４１の押下有無を監視しており（ステップＡ１）
いずれかの選択スイッチ１４１が押下されると
ＣＰＵ１１がシステムバス経由でいずれの選択スイッチ１４１が押下されたのかを問い合わせてきたときに、その選択スイッチ１４１を特定させるためのデータをシステムバス上に出力
　
Ｆ．「【００２７】図５は、この実施形態のＢＩＯＳの動作手順を説明するためのフローチャートである。選択スイッチ１４１が押下されたことにより、システムが電源オン状態となると、まず、ＢＩＯＳ内のシステムブートルーチンが稼動し、システム内の各種デバイスの起動を実行する（ステップＢ１）。この各種デバイスの起動が完了すると、次に、ＢＩＯＳ内のシステムチェックルーチンが稼動し、その起動された各種デバイスの検査を実行する（ステップＢ２）。
【００２８】この各種デバイスの検査が完了すると、今度は、ＢＩＯＳ内のシステムイニシャライズルーチンが稼動し、検査済みの各種デバイスの初期化が実行される（ステップＢ３）。
【００２９】そして、この各種デバイスの初期化まで完了すると、ＢＩＯＳでは、オペレーティングシステムブートルーチンが稼動する。このオペレーティングシステムブートルーチンが稼動すると、まず、
ＣＰＵ１１から電源コントローラ（ＰＳＣ）１４に対し、システムバス経由でいずれの選択スイッチ１４１が押下されたのかが問い合わせられる。一方、この問い合わせを受けた電源コントローラ（ＰＳＣ）１４は、いずれの選択スイッチ１４１が押下されたのかをシステムバス経由で返答する。そして、この返答を受けたＣＰＵ１１は、押下された選択スイッチ１４１から起動すべきオペレーティングシステムを判定し（ステップＢ４）、所定の記録領域に記録されたそのオペレーティングシステム（または、そのオペレーティングシステムをシステムメモリ１２にロードして起動するためのローダ）をシステムメモリ１２上にロードして起動する（ステップＢ５）
　
Ｇ．「【００３０】このように、この実施形態のコンピュータシステムによれば、選択スイッチ１４１の押下によって、所望の状態にシステムを起動させることが可能となり、また、いずれかのオペレーティングシステムが起動不能な状態に陥っている場合でも、他のオペレーティングシステムは問題なく起動させることが可能となる。
【００３１】なお、前述した例では、選択スイッチ１４１が電源スイッチの役割を併せ持たせていたが、電源スイッチを別途設けて、その押下有無を電源コントローラ（ＰＳＣ）１４に監視させることも有効である。この場合、電源スイッチの押下に続いて選択スイッチ１４１の押下が行なわれるものとする。また、この場合、電源コントローラ（ＰＳＣ）１４は、前回押下された選択スイッチ１４１といずれの選択スイッチ１４１も押下されなかったときに押下されたとみなす選択スイッチ１４１（デフォルト値）とを保持する手段を備えるものとする。（以下、省略）
　
Ｈ．「【００３８】
【発明の効果】以上詳述したように、この発明によれば、ユーザは、電源スイッチの押下とともに、たとえば用途に応じて設けられた複数の選択ボタンの中の所望の選択スイッチを押下することにより（または、電源スイッチの役割を併せ持った複数の選択ボタンの中の所望の選択スイッチを押下することにより）、システム電源投入当初から所望の状態でシステムを起動させることができることになり、また、いずれかのオペレーティングシステムが記録媒体の損傷などによって起動不能な状態に陥っている場合でも、その他のオペレーティングシステムは問題なく起動させることが可能となる。」
　
２．引用文献の認定
ａ．Ｂの「図１に示すように、このコンピュータシステムは、ＣＰＵ１１、システムメモリ１２、ＢＩＯＳ−ＲＯＭ１３、電源コントローラ（ＰＳＣ）１４、磁気ディスク装置（ＨＤＤ）１５、ＣＤ−ＲＯＭドライブ１６、リムーバブルデバイス１７、ＤＶＤドライブ１８、ディスプレイコントローラ１９およびキーボードコントローラ２０などを備えており、これらはシステムバスを介して相互に接続されている。また、電源コントローラ（ＰＳＣ）１４には、用途別に設けられた複数の選択スイッチ１４１が接続されている。」から、引用文献には、コンピュータシステム中には、ＣＰＵ、磁気ディスク装置、システムメモリ、ＢＩＯＳ−ＲＯＭ、用途別に設けられた複数の選択スイッチが接続された電源コントローラ、リムーバブルデバイス、ＣＤ−ＲＯＭドライブ、ＤＶＤドライブがシステムバスを介して相互に接続されている、ことが記載されている。
　
　Ｂの「このコンピュータシステムは、この電源コントローラ（ＰＳＣ）１４に接続された選択スイッチ１４１によって、ユーザがシステムの起動状態を選択できるようになっている。」、Ｃの「この選択スイッチ１４１群が配置されるコンピュータシステムの筐体（一部分）の外観が示されており、ここでは、用途別に「ＰＣ１」、「ＰＣ２」、「ＰＣ３」、「ＣＤ」、「ＤＶＤ」および「ＧＡＭＥ」の選択肢が設けられている」、「すなわち、この「ＰＣ１」〜「ＰＣ３」は、このコンピュータシステムを所望のオペレーティングシステムが稼動するパーソナルコンピュータとして動作させるためのスイッチである。また、「ＣＤ」は、このコンピュータシステムをＣＤプレーヤとして動作させるアプリケーションプログラムを動作制御するのに必要な最小限の機能をもつオペレーティングシステムを起動するためのスイッチであり、「ＤＶＤ」は、このコンピュータシステムをＤＶＤプレーヤとして動作させるアプリケーションプログラムを動作制御するのに必要な最小限の機能をもつオペレーティングシステムを起動するためのスイッチである。」から、選択スイッチによって、コンピュータシステムは、パーソナルコンピュータ、ＣＤプレーヤないしＤＶＤプレーヤのいずれかとして動作するように起動すると解される。
　
　そして、Ｂ及びＣの上記記載、及び、Ａの「この発明のコンピュータシステムは、前述の目的を達成するために、システムを所望の状態に起動させるための選択スイッチを設け、電源スイッチの押下によりシステムの電源が投入されたときに、その選択スイッチの押下または状態に応じて、複数のオペレーティングシステムの中のいずれか一つを起動するようにしたものである。」、Ｅの「図４は、この実施形態の電源コントローラ（ＰＳＣ）１４の動作手順を説明するためのフローチャートである。」及びＦの「図５は、この実施形態のＢＩＯＳの動作手順を説明するためのフローチャートである。」から、引用文献には、選択スイッチの押下に応じて、コンピュータシステムを所望の状態に起動させる方法、が記載されている。
　
　以上から、引用文献には、
　ＣＰＵ、磁気ディスク装置、システムメモリ、ＢＩＯＳ−ＲＯＭ、用途別に設けられた複数の選択スイッチが接続された電源コントローラ、リムーバブルデバイス、ＣＤ−ＲＯＭドライブ、ＤＶＤドライブがシステムバスを介して相互に接続されたコンピュータシステムにおいて、前記選択スイッチの押下に応じて、前記コンピュータシステムを、パーソナルコンピュータ、ＣＤプレーヤないしＤＶＤプレーヤのいずれかとして動作する状態に起動させる方法、
が記載されている。
　
ｂ．Ｄの「磁気ディスク装置（ＨＤＤ）１５、ＣＤ−ＲＯＭドライブ１６およびリムーバブルデバイス１７は、このコンピュータシステムの外部記憶となるメモリデバイスであり、これらのメモリデバイス上に、排他選択的に起動される複数のオペレーティングシステム（および、それらをシステムメモリ１２にロードして起動するためのローダ）が格納されている。」から、引用文献には、
　磁気ディスク装置には、複数のオペレーティングシステムと、それらをシステムメモリにロードして起動するためのローダが格納される、
ことが記載されている。
　
ｃ．Ｅの「システムが電源オフの状態にあるとき、すべての選択スイッチ１４１の押下有無を監視しており（ステップＡ１）」から、引用文献には、
　コンピュータシステムが電源オフの状態にあるとき、すべての選択スイッチの押下有無を監視するステップ、
が記載されている。
　
ｄ.Ｃの「この選択スイッチ１４１群が配置されるコンピュータシステムの筐体（一部分）の外観が示されており、ここでは、用途別に「ＰＣ１」、「ＰＣ２」、「ＰＣ３」、「ＣＤ」、「ＤＶＤ」および「ＧＡＭＥ」の選択肢が設けられている」、「このうち、「ＰＣ１」〜「ＰＣ３」は……それぞれに対応づけられた記録媒体（または同一記録媒体上の異なる記録領域）に格納されたオペレーティングシステムを起動するためのスイッチである。すなわち、この「ＰＣ１」〜「ＰＣ３」は、このコンピュータシステムを所望のオペレーティングが稼動するパーソナルコンピュータとして動作させるためのスイッチである。」、「また、「ＣＤ」は、このコンピュータシステムをＣＤプレーヤとして動作させるアプリケーションプログラムを動作制御するのに必要な最小限の機能をもつオペレーティングシステムを起動するためのスイッチであり、「ＤＶＤ」は、このコンピュータシステムをＤＶＤプレーヤとして動作させるアプリケーションプログラムを動作制御するのに必要な最小限の機能をもつオペレーティングシステムを起動するためのスイッチである。」から、用途別に設けられた複数の選択スイッチは、各選択スイッチに対応する用途のシステムとしてコンピュータシステムを動作させるために必要なオペレーティングシステムを起動するためのスイッチであることが記載されている。
　そして、Ｅの「いずれかの選択スイッチ１４１が押下されると（ステップＡ１のＹｅｓ）、まず、システムを電源オンの状態にする（ステップＡ２）。その後、電源コントローラ（ＰＳＣ）１４は、選択スイッチ１４１が押下された旨を制御信号線を介してＣＰＵ１１に通知するとともに、この通知に応答して、ＣＰＵ１１がシステムバス経由でいずれの選択スイッチ１４１が押下されたのかを問い合わせてきたときに、その選択スイッチ１４１を特定させるためのデータをシステムバス上に出力する（ステップＡ３）。」、Ｆの「この問い合わせを受けた電源コントローラ（ＰＳＣ）１４は、いずれの選択スイッチ１４１が押下されたのかをシステムバス経由で返答する。そして、この返答を受けたＣＰＵ１１は、押下された選択スイッチ１４１から起動すべきオペレーティングシステムを判定し（ステップＢ４）、所定の記録領域に記録されたそのオペレーティングシステム（または、そのオペレーティングシステムをシステムメモリ１２にロードして起動するためのローダ）をシステムメモリ１２上にロードして起動する（ステップＢ５）。」から、選択スイッチのいずれかが押下されたことの報知を受けたＣＰＵが、押下された選択スイッチから起動すべきオペレーティングシステムを判定し、そのオペレーティングシステムをシステムメモリ上にロードして起動するステップが記載されている。
　以上から、引用文献には、
　用途別に設けられた選択スイッチのいずれかが押下されたことの報知を受けたＣＰＵが、いずれの選択スイッチが押下されたのかを示す情報から、前記押下された選択スイッチに対応する用途のシステムとしてコンピュータシステムを動作させるために必要なオペレーティングシステムを判定し、当該判定されたオペレーティングシステムをシステムメモリ上にロードして起動するステップ、
が記載されている。
　
ｅ．Ｃの「この「ＣＤ」および「ＤＶＤ」のスイッチに対応づけられたオペレーティングシステム（および、そのオペレーティングシステムをシステムメモリ１２にロードして起動するためのローダ）は、磁気ディスク装置（ＨＤＤ）１５上の予め定められた領域に格納されるものであり、また、これらのオペレーティングシステムは、その起動後に、このコンピュータシステムをＣＤプレーヤとして動作させるアプリケーションプログラムまたはＤＶＤプレーヤとして動作させるアプリケーションプログラムを自動的に起動する。」から、引用文献には、
　ＣＤないしＤＶＤの選択スイッチに対応付けられたオペレーティングシステムの起動後、当該起動されたオペレーティングシステムは、コンピュータシステムを、それぞれ、ＣＤプレーヤないしＤＶＤプレーヤとして動作させるアプリケーションプログラムを自動的に起動させるステップ、
が記載されていると解される。
　
ｆ.Ｃの「この「ＰＣ１」〜「ＰＣ３」は、このコンピュータシステムを所望のオペレーティングが稼動するパーソナルコンピュータとして動作させるためのスイッチである。また、「ＣＤ」は、このコンピュータシステムをＣＤプレーヤとして動作させるアプリケーションプログラムを動作制御するのに必要な最小限の機能をもつオペレーティングシステムを起動するためのスイッチであり、「ＤＶＤ」は、このコンピュータシステムをＤＶＤプレーヤとして動作させるアプリケーションプログラムを動作制御するのに必要な最小限の機能をもつオペレーティングシステムを起動するためのスイッチである。」から、引用文献には、
　コンピュータシステムを、押下された選択スイッチに対応付けられた用途のシステムとして動作させるステップ、
が記載されている。
　
ｇ．引用文献に記載される前記ｃ〜ｆで認定した各ステップは、それぞれ、ａの「前記コンピュータシステムを、パーソナルコンピュータ、ＣＤプレーヤないしＤＶＤプレーヤのいずれかとして動作する状態に起動させる方法」の１ステップであり、前記ｃ〜ｆで認定した各ステップはｃ→ｄ→ｅ→ｆの順で実行されることは、明らかである。
　
　以上、ａ〜ｇから、引用文献には次の発明（以下、「引用発明」という。）が記載されている。
「ＣＰＵ、磁気ディスク装置、システムメモリ、ＢＩＯＳ−ＲＯＭ、用途別に設けられた複数の選択スイッチが接続された電源コントローラ、リムーバブルデバイス、ＣＤ−ＲＯＭドライブ、ＤＶＤドライブがシステムバスを介して相互に接続されたコンピュータシステムにおいて、前記選択スイッチの押下に応じて、前記コンピュータシステムを、パーソナルコンピュータ、ＣＤプレーヤないしＤＶＤプレーヤのいずれかとして動作する状態に起動させる方法であって、
　前記磁気ディスク装置には、複数のオペレーティングシステムと、それらを前記システムメモリにロードして起動するためのローダが格納され、
　前記コンピュータシステムを起動させる方法は、
　前記コンピュータシステムが電源オフの状態にあるとき、すべての前記選択スイッチの押下有無を監視するステップと、
　用途別に設けられた前記選択スイッチのいずれかが押下されたことの報知を受けた前記ＣＰＵが、いずれの選択スイッチが押下されたのかを示す情報から、前記押下された選択スイッチに対応する用途のシステムとして前記コンピュータシステムを動作させるために必要なオペレーティングシステムを判定し、当該判定されたオペレーティングシステムを前記システムメモリ上にロードして起動するステップと、
　ＣＤないしＤＶＤの選択スイッチに対応付けられたオペレーティングシステムの起動後、当該起動されたオペレーティングシステムは、前記コンピュータシステムを、それぞれ、ＣＤプレーヤないしＤＶＤプレーヤとして動作させるアプリケーションプログラムを自動的に起動させるステップと、
　前記コンピュータシステムを、前記押下された選択スイッチに対応付けられた用途のシステムとして動作させるステップと、
を有することを特徴とする、コンピュータシステムを、パーソナルコンピュータ、ＣＤプレーヤないしＤＶＤプレーヤのいずれかとして動作する状態に起動させる方法。」
　
　
第３．対比
　本願発明と引用発明とを対比する。
　
ａ．引用発明の「コンピュータシステム」、「システムメモリ」、「ＢＩＯＳ−ＲＯＭ」、「用途別に設けられた複数の選択スイッチ」及び「複数のオペレーティングシステム」は、それぞれ、本願発明の「コンピュータ」、「システムメモリ」、「BIOS」、「複数のショートカットキー」及び「OS」に相当する。
　引用発明の「コンピュータシステム」は、周辺装置として「リムーバブルデバイス、ＣＤ−ＲＯＭドライブ、ＤＶＤドライブ」を有している。ここで、前記「ＤＶＤドライブ」がマルチメディア再生用の「ドライブ」であることは自明であり、前記「ＣＤ−ＲＯＭドライブ」がＣＤプレーヤユニット即ちデジタル音楽再生ユニットとして利用できることは技術常識であるので、引用発明の、少なくとも、「ＣＤ−ＲＯＭドライブ、ＤＶＤドライブ」は、本願発明の「複数のマルチメディア再生装置」に相当する。
　
ｂ．引用発明の「磁気ディスク装置には、複数のオペレーティングシステムと、それらをシステムメモリにロードして起動するためのローダが格納され」ている。
　これに対して、本願発明の「データ保存メディア中にはOS、該複数のマルチメディア再生装置の駆動プログラム、複数のマルチメディア再生装置のアプリケーションプログラム、装置起動クラスター表を保存し」ている。そして、本願明細書には、段落【００１５】に「図２に示すように、図１中のハードディスク１７中にはOS１７１、１組のマルチメディア再生装置の駆動プログラム１７２、１組のマルチメディア再生装置アプリケーションプログラム１７３、１組の装置起動クラスター表１７４をインストールする。」と記載されている。してみれば、本願発明は、明細書の発明の詳細な説明に記載された「ハードディスク１７」を「データ保存メディア」と称していること、すなわち、本願発明の「データ保存メディア」は「ハードディスク」を含む概念の装置であることは明らかである。
　そして、引用発明の「磁気ディスク装置」はハードディスクに他ならない。
　したがって、引用発明の「磁気ディスク装置」と、本願発明の「データ保存メディア」とは、オペレーティングシステムを保存するハードディスクである点で共通している。
　
ｃ．前記ａ、ｂから、引用発明の「コンピュータシステム」において「ＣＰＵ、磁気ディスク装置、システムメモリ、ＢＩＯＳ−ＲＯＭ、用途別に設けられた複数の選択スイッチが接続された電源コントローラ、リムーバブルデバイス、ＣＤ−ＲＯＭドライブ、ＤＶＤドライブがシステムバスを介して相互に接続された」ことと、本願発明の「コンピュータ中にはデータ保存メディア、システムメモリ、BIOS、複数のショートカットキー、複数のマルチメディア再生装置を接続し」たこととは、コンピュータ中に、ハードディスク、システムメモリ、ＢＩＯＳ、複数のショートカットキー、複数のマルチメディア再生装置を接続した点で一致している。
　
ｄ．引用発明の「複数の選択スイッチ」は「用途別に設けられ」ているから、各「選択スイッチ」は当然に、その「用途」に対応付けられている。
　引用発明は、「いずれの選択スイッチが押下されたのかを示す情報から、前記押下された選択スイッチに対応する用途のシステムとして前記コンピュータシステムを動作させるために必要なオペレーティングシステムを判定」し、「ＣＤないしＤＶＤの選択スイッチに対応付けられたＣＤないしＤＶＤの選択スイッチに対応付けられたオペレーティングシステムの起動後、当該起動されたオペレーティングシステムは、前記コンピュータシステムを、それぞれ、ＣＤプレーヤないしＤＶＤプレーヤとして動作させるアプリケーションプログラムを自動的に起動させる」とともに、「前記コンピュータシステムを、前記押下された選択スイッチに対応付けられた用途のシステムとして動作させる」ものである。してみれば、引用発明の「用途別に設けられた複数の選択スイッチ」のそれぞれは、「押下された選択スイッチに対応する用途のシステムとして前記コンピュータシステムを動作させるために必要」な「オペレーティングシステム」に「対応付け」られており、「コンピュータシステム」を「ＣＤプレーヤないしＤＶＤプレーヤとして動作させる」ために「必要」な「オペレーティングシステム」は「コンピュータシステムを、それぞれ、ＣＤプレーヤないしＤＶＤプレーヤとして動作させる」ための「アプリケーションプログラム」に対応付けられていることは明らかである。
　すなわち、引用発明の「コンピュータシステム」は、「用途別」に設けられた「選択スイッチ」のそれぞれをその「用途」と「必要なオペレーティングシステム」に「対応付け」るとともに、前記「必要なオペレーティングシステム」と「コンピュータシステムを……ＣＤプレーヤないしＤＶＤプレーヤとして動作させるアプリケーションプログラム」とを対応付けるための情報を有しており、前記「必要なオペレーティングシステム」の「判定」や「ＣＤプレーヤないしＤＶＤプレーヤとして動作させるアプリケーションプログラム」の選択は当該情報を用いて行っていると認められる。
　引用発明における、この、「用途別」に設けられた「選択スイッチ」のそれぞれをその「用途」と「必要なオペレーティングシステム」とに「対応付け」るとともに、前記「必要なオペレーティングシステム」と「コンピュータシステムを……ＣＤプレーヤないしＤＶＤプレーヤとして動作させるアプリケーションプログラム」とを対応付けるための情報と、本願発明における、「各マルチメディア再生装置の機能属性に応じて各ショートカットキーが対応するマルチメディア再生装置の駆動プログラム、マルチメディア再生装置のアプリケーションプログラム、マルチメディア再生装置」を「定義」する「該装置起動クラスター表」とは、各ショートカットキーが関連するマルチメディア再生システムとしてコンピュータを動作させるアプリケーションプログラムを定義する情報である点で共通している。
　そして、引用発明の「コンピュータシステム」が、前記「用途別」に設けられた「選択スイッチ」のそれぞれをその「用途」と「必要なオペレーティングシステム」に「対応付け」るとともに、前記「必要なオペレーティングシステム」と「コンピュータシステムを……ＣＤプレーヤないしＤＶＤプレーヤとして動作させるアプリケーションプログラム」とを対応付けるための情報を有することと、本願発明において、前記「装置起動クラスター表」を「コンピュータ中」に「接続」された「データ保存メディア中」に「保存」することとは、各ショートカットキーが関連するマルチメディア再生装置としてコンピュータを動作させるアプリケーションプログラムを定義する情報をコンピュータ中に保存する点で共通している。
　
ｅ．引用発明の「コンピュータシステム」は「ＣＤ−ＲＯＭドライブ、ＤＶＤドライブ」という、マルチメディア再生に利用する周辺装置を有している。そして、前記「コンピュータシステム」は、これら「ＣＤ−ＲＯＭドライブ、ＤＶＤドライブ」というマルチメディア再生に利用する周辺装置を駆動・制御して、前記「コンピュータシステム」を「ＣＤプレーヤないしＤＶＤプレーヤとして動作させる」処理をしていることは明らかである。
　したがって、引用発明の「コンピュータシステム」は、「ＣＤ−ＲＯＭドライブ、ＤＶＤドライブ」というマルチメディア再生に利用する周辺装置を駆動・制御するソフトウェアを有することは明らかである。
　してみれば、引用発明の「コンピュータシステム」が「ＣＤ−ＲＯＭドライブ、ＤＶＤドライブ」というマルチメディア再生に利用する周辺装置を駆動・制御するソフトウェアを有することと、本願発明において、「複数のマルチメディア再生装置の駆動プログラム」を「コンピュータ中」に「接続」された「データ保存メディア中」に「保存」することとは、マルチメディア再生に利用する周辺装置を駆動・制御するソフトウェアをコンピュータ中に保存する点で共通している
　
ｆ．本願発明の「操作された各ショートカットキーの状態を探知」する「ステップ」は、「コンピュータ」の「システム起動作業を実行」する前の「ステップ」であるから、「システム起動」前に実行される「ステップ」である。
　したがって、引用発明の「前記コンピュータシステムが電源オフの状態にあるとき、すべての前記選択スイッチの押下有無を監視するステップ」は、本願発明の「操作された各ショートカットキーの状態を探知」する「ステップ」に相当する。
　
ｇ．引用発明の「用途別に設けられた前記選択スイッチのいずれかが押下されたことの報知を受けた前記ＣＰＵが、いずれの選択スイッチが押下されたのかを示す情報から、前記押下された選択スイッチに対応する用途のシステムとして前記コンピュータシステムを動作させるために必要なオペレーティングシステムを判定し、当該判定されたオペレーティングシステムを前記システムメモリ上にロードして起動するステップ」は、「選択スイッチのいずれかが押下されたことの報知を受け」ると「必要なオペレーティングシステム」を「前記システムメモリ上にロードして起動するステップ」である。そして、「必要なオペレーティングシステム」を「前記システムメモリ上にロードして起動する」ことは、引用発明の「コンピュータシステム」の起動作業を実行することに他ならない。
　してみれば、引用発明の「用途別に設けられた前記選択スイッチのいずれかが押下されたことの報知を受けた前記ＣＰＵが、いずれの選択スイッチが押下されたのかを示す情報から、前記押下された選択スイッチに対応する用途のシステムとして前記コンピュータシステムを動作させるために必要なオペレーティングシステムを判定し、当該判定されたオペレーティングシステムを前記システムメモリ上にロードして起動するステップ」は、本願発明の「任意のショートカットキーが操作されたことを探知すると、該コンピュータはシステム起動作業を実行」するステップに相当する。
　
ｈ．前記ｄで述べたとおり、引用発明の「コンピュータシステム」は、「用途別」に設けられた「選択スイッチ」のそれぞれを、その「用途」と「必要なオペレーティングシステム」に「対応付け」るとともに、前記「必要なオペレーティングシステム」と「ＣＤプレーヤないしＤＶＤプレーヤとして動作させるアプリケーションプログラム」とを対応付けるための情報を有していること、前記情報を用いて「ＣＤないしＤＶＤの選択スイッチに対応付けられたオペレーティングシステムの起動後、当該起動されたオペレーティングシステムは、前記コンピュータシステムを、それぞれ、ＣＤプレーヤないしＤＶＤプレーヤとして動作させるアプリケーションプログラムを自動的に起動させる」ことは明らかである。
　すなわち、「必要」な「ＣＤないしＤＶＤの選択スイッチに対応付けられたオペレーティングシステムの起動後」に、前記情報が参照されていることは明らかである。
　したがって、引用発明において、「コンピュータシステム」が「必要」な「ＣＤないしＤＶＤの選択スイッチに対応付けられたオペレーティングシステムの起動後」に前記情報を利用することと、本願発明が「システム起動作業を実行し」た後で「該コンピュータは該データ保存メディア中より該装置起動クラスター表を該システムメモリ中のランダムアクセス領域中に読み込」むこととは、システム起動作業を実行した後で、各マルチメディア再生装置の機能属性に応じて各ショートカットキーが関連するマルチメディア再生装置としてコンピュータを動作させるアプリケーションプログラムを定義する情報が参照される点で共通している。
　
ｉ．前記ｅで述べたとおり、引用発明の「コンピュータシステム」は、「ＣＤ−ＲＯＭドライブ、ＤＶＤドライブ」というマルチメディア再生に利用する周辺装置を駆動・制御するソフトウェアを有することは明らかである。
　ここで、引用発明においては、「コンピュータシステムを、それぞれ、ＣＤプレーヤないしＤＶＤプレーヤとして動作させるアプリケーションプログラムを自動的に起動させる」際には、少なくとも「ＤＶＤドライブ」というマルチメディア再生に利用する周辺装置」を作動させていることも明らかであるから、そのために、少なくとも「ＤＶＤドライブ」というマルチメディア再生に利用する周辺装置を駆動・制御するソフトウェアを実行させることも明らかである。
　
　これに対し、本願発明は「該装置起動クラスター表中に予め定義される指示に基づき、該操作されたショートカットキーが対応するマルチメディア再生装置の駆動プログラムを実行」する。
　ここで、前記「該装置起動クラスター中に予め定義される指示に基づき、該操作されたショートカットキーが対応するマルチメディア再生装置の駆動プログラムを実行」するという発明特定事項に関して、本願明細書には、
　段落【００２５】に「該コンピュータ１００が上記の起動手順を完了後……使用者が１つめのショートカットキー２１を押すと(ステップ１０４a)、該コンピュータ１００は該装置起動クラスター表１７４に予め定義される指示に基づき、該ハードディスク１７中より音楽光ディスク装置の駆動プログラム１７２a及び音声効果装置駆動プログラム１７５を実行する(ステップ１０５a)。」と記載されるとともに、
　段落【００２１】に「続いて図４に示すように、図１中の装置起動クラスター表１７４中には各ショートカットキーが対応するマルチメディア再生装置の駆動プログラム、マルチメディア再生装置のアプリケーションプログラム、マルチメディア再生装置を定義する。該装置起動クラスター表１７４中にはショートカットキー欄、ショートカットキー番号欄、ショートカットキー対応駆動プログラム欄、ショートカットキー対応アプリケーションプログラム欄、ショートカットキー対応装置欄を包含する。各ショートカットキー２１、２２、２３、２４はクラスター化の方式により、１個或いは１個以上のショートカットキー対応駆動プログラム、ショートカットキー対応アプリケーションプログラム、ショートカットキー対応マルチメディア再生装置に対応する。」と記載され、段落【００２９】には「【図４】図１中の装置起動クラスター表のクラスター内容指示図である。」と記載されている。
　よって、本願明細書の記載を参酌すれば、本願発明の前記「装置起動クラスター表中に予め定義される指示に基づき、該操作されたショートカットキーが対応するマルチメディア再生装置の駆動プログラムを実行」するとの発明特定事項は、装置起動クラスター表中に予め定義される、各ショートカットキーに対応する駆動プログラムを指示する情報に基づき、該操作されたショートカットキーが対応するマルチメディア再生装置の駆動プログラムを実行する、ことを意味することは明らかである。
　
　ここで、前記「ＤＶＤドライブ」は本願発明の「マルチメディア再生装置」に相当することは、前記ａで述べたとおりである。
　してみれば、引用発明において、「アプリケーションプログラムを自動的に起動させる」際に、少なくとも「ＤＶＤドライブ」というマルチメディア再生のために作動させる周辺装置を駆動・制御するソフトウェアを実行させることと、本願発明において、「アプリケーションプログラムを実行」する際に「装置起動クラスター表中に予め定義される指示に基づき、該操作されたショートカットキーが対応するマルチメディア再生装置の駆動プログラムを実行」することとは、アプリケーションプログラムを実行する際にマルチメディア再生装置を駆動・制御するソフトウェアを実行する点で共通している。
　
ｊ．引用発明の「ＣＤないしＤＶＤの選択スイッチに対応付けられたＣＤないしＤＶＤの選択スイッチに対応付けられたオペレーティングシステムの起動後、当該起動されたオペレーティングシステムは、前記コンピュータシステムを、それぞれ、ＣＤプレーヤないしＤＶＤプレーヤとして動作させるアプリケーションプログラムを自動的に起動させるステップ」と、本願発明の「該操作されたショートカットキーが対応するマルチメディア再生装置のアプリケーションプログラムを実行」する「ステップ」とは、操作されたショートカットキーに関連するマルチメディア再生システムとしてコンピュータを動作させるアプリケーションプログラムを実行するステップである点で共通している。
　
ｋ．引用発明においては、「前記コンピュータシステムを、前記押下された選択スイッチに対応付けられた用途のシステムとして動作させる」が、このとき、「前記コンピュータシステム」は「記押下され」ていない「選択スイッチに対応付けられた用途のシステム」としては「動作」しないことは、当然である。
　したがって、引用発明の「前記コンピュータシステムを、前記押下された選択スイッチに対応付けられた用途のシステムとして動作させるステップ」と本願発明の「該操作されたショートカットキーが対応するマルチメディア再生装置を作動し、該操作されていないショートカットキーが対応する他のマルチメディア再生装置は作動しない」「ステップ」とは、コンピュータが、操作されたショートカットキーが対応するマルチメディア再生システムとして動作し、操作されていないショートカットキーが対応する他のマルチメディア再生システムとしては動作しないステップである点で、共通している。
　
ｍ．本願発明の「方法」は、「マルチメディア再生システムを迅速に起動する方法」である。ここで、前記「迅速に起動する」との語句の意味するところについて、本願明細書の発明の詳細な説明の記載を参酌する。
　すると、その段落【０００９】に「迅速に起動する時には、任意のショートカットキーが操作されたことを探知すると、該コンピュータは該装置起動クラスター中に予め定義される指示に基づき、該操作されたショートカットキーが対応するマルチメディア再生装置の駆動プログラムを実行し、該操作されたショートカットキーが対応するマルチメディア再生装置のアプリケーションプログラムを実行し、こうして、該操作されたショートカットキーが対応するマルチメディア再生装置は作動し、操作されていないショートカットキーが対応する他のマルチメディア再生装置は作動しないことを特徴とするマルチメディア再生システムを迅速に起動する方法である。」と記載されている。
　してみれば、本願発明の「方法」が「マルチメディア再生システムを迅速に起動する方法」であるのは、「起動」する「マルチメディア再生システム」に必要なソフトウェアのみを起動し実行することで実現されると認められる。
　そして、引用発明においては、「磁気ディスク装置」に「格納」された「複数のオペレーティングシステム」のうち、「押下された選択スイッチに対応する用途のシステムとして前記コンピュータシステムを動作させるために必要なオペレーティングシステム」を「ロードして起動する」ものであり、「自動的に起動」される「アプリケーションプログラム」は、「ＣＤないしＤＶＤの選択スイッチに対応付けられたオペレーティングシステム」に対応する「アプリケーションプログラム」である。すなわち、引用発明は、「押下された選択スイッチに対応する用途のシステム」に必要な「オペレーティングシステム」及び「アプリケーションプログラム」を「起動」している。
　してみれば、引用発明の「コンピュータシステムを、パーソナルコンピュータ、ＣＤプレーヤないしＤＶＤプレーヤのいずれかとして動作する状態に起動させる方法」と、本願発明の「マルチメディア再生システムを迅速に起動する方法」とは、いずれも、マルチメディア再生システムを迅速に起動する方法である点で一致している。
　
　
　以上ａ〜ｍから、引用発明と本願発明とは、以下の点で、一致するとともに相違している。
（一致点）
　コンピュータ中にはハードディスク、システムメモリ、ＢＩＯＳ、複数のショートカットキー、複数のマルチメディア再生装置を接続し、
　　該ハードディスク中にはオペレーティングシステムを保存し、
　　該コンピュータ中に、各ショートカットキーが関連するマルチメディア再生装置として前記コンピュータを動作させるアプリケーションプログラムを定義する情報と、マルチメディア再生に利用する周辺装置を駆動・制御するソフトウェアとを保存し、
　　本発明の方法は以下のステップを包含し、
　　(a)操作された各ショートカットキーの状態を探知し、
　　(b)任意のショートカットキーが操作されたことを探知すると、該コンピュータはシステム起動作業を実行し、
　　(c)該保存された前記情報が参照され、
　　(d)該マルチメディア再生装置を駆動・制御するソフトウェアを実行し、
　　(e)該操作されたショートカットキーに関連するマルチメディア再生システムとして該コンピュータを動作させるアプリケーションプログラムを実行し、
　　(f)前記コンピュータが、該操作されたショートカットキーが対応するマルチメディア再生システムとして動作し、操作されていないショートカットキーが対応する他のマルチメディア再生システムとしては動作しない、
ことを特徴とするマルチメディア再生システムを迅速に起動する方法。
　
（相違点１）
　本願発明の「データ保存メディア」すなわち「ハードディスク」中には「OS」のほか、「該複数のマルチメディア再生装置の駆動プログラム、複数のマルチメディア再生装置のアプリケーションプログラム、装置起動クラスター表」を「保存」するのに対して、引用発明の「磁気ディスク装置」には「複数のオペレーティングシステムと、それらをシステムメモリにロードして起動するためのローダ」以外には何が「格納」されるのか不明である点。
　
（相違点２）
　本願発明の「装置起動クラスター表」は、該「表」中には「該各マルチメディア再生装置の機能属性に応じて各ショートカットキーが対応するマルチメディア再生装置の駆動プログラム、マルチメディア再生装置のアプリケーションプログラム、マルチメディア再生装置を定義」するものであるのに対して、引用発明の「コンピュータシステム」は、「用途別」に設けられた「選択スイッチ」のそれぞれをその「用途」と「必要なオペレーティングシステム」とに「対応付け」るとともに、前記「必要なオペレーティングシステム」と「ＣＤプレーヤないしＤＶＤプレーヤとして動作させるアプリケーションプログラム」とを対応付けるための情報を有していると認められる点。
　
（相違点３）
　本願発明は「該コンピュータは該データ保存メディア中より該装置起動クラスター表を該システムメモリ中のランダムアクセス領域中に読み込」むというステップを有するのに対して、引用発明においては、「必要」な「ＣＤないしＤＶＤの選択スイッチに対応付けられたオペレーティングシステムの起動後」に前記各対応付けを行うための情報が参照されるものの、当該参照のため、前記各対応付けを行うための情報が「コンピュータシステム」の「システムメモリ」中の「ランダムアクセス領域中に読み込」まれるかどうかは不明である点。
　
（相違点４）
　本願発明は「該装置起動クラスター表中に予め定義される指示に基づき、該操作されたショートカットキーが対応するマルチメディア再生装置の駆動プログラムを実行」するというステップを有するのに対して、引用発明は、少なくとも「ＤＶＤドライブ」というマルチメディア再生に利用する周辺装置を駆動・制御するソフトウェアを実行させる点。
　
（相違点５）
　本願発明は「該操作されたショートカットキーが対応するマルチメディア再生装置のアプリケーションプログラムを実行」するステップを有するのに対して、引用発明は「ＣＤないしＤＶＤの選択スイッチに対応付けられたＣＤないしＤＶＤの選択スイッチに対応付けられたオペレーティングシステムの起動後、当該起動されたオペレーティングシステムは、前記コンピュータシステムを、それぞれ、ＣＤプレーヤないしＤＶＤプレーヤとして動作させるアプリケーションプログラムを自動的に起動させるステップ」を有する点。
　
（相違点６）
　本願発明は「該操作されたショートカットキーが対応するマルチメディア再生装置を作動し、該操作されていないショートカットキーが対応する他のマルチメディア再生装置は作動しない」ステップを有するのに対して、引用発明は「前記コンピュータシステムを、前記押下された選択スイッチに対応付けられた用途のシステムとして動作させるステップ」を有する点。
　
　
第４．当審の判断
１．相違点について
（１）当業者の技術知識
　次に、本願の優先権主張の日における、当業者の技術知識について、検討する。
　
ａ．アプリケーションプログラムを実行するに際しては、ハードディスク等の保存媒体に格納された前記アプリケーションプログラムをまず主記憶にロードすることは、技術常識である。
　そして、デバイスドライバ、すなわち、コンピュータの周辺機器を動作させるための該周辺機器の駆動プログラムに関しても、本願の優先権主張の日前に頒布された刊行物である特開平０８−２６３３６４号公報には、図面とともに以下の事項が記載されている（下線は、参考のため、当審において付した。以下、他の刊行物についても同様である。）。
ア．「【０００３】
ＭＳ−ＤＯＳに機能を付加するデバイスドライバ、常駐プログラム等（以下デバイスドライバ或はドライバという）は、通常メインメモリにロードされる
【０００４】そこで、従来のメモり管理方法では、デバイスドライバをＥＭＳ（expandedmemory specification:詳細には日経バイト1988年11月号P157〜166参照）、ＵＭＢ（upper memory block)等の拡張メモリ領域に移動させていた。この様子を図９を使って説明する。ＭＳ−ＤＯＳは８０８６系ＣＰＵのリアルモードで動作することを前提としているので１ＭＢ空間しかアクセスすることができない。
この中にＯＳ、アプリケーションがロードされるメインメモリ
連続領域としては３２ＫＢ程度しか取れない
イ．「【０００９】本発明は、こうした問題を解決るものであって、
デバイスドライバ等を極力ＵＭＢ等の拡張メモリ領域に移動し、アプリケーションにより多くのメインメモリを開放する
ウ．「【００１４】
【実施例】以上説明した本発明を一層明らかにするために、以下本発明の好適な実施例について説明する。図１は本実施例のハードウェアブロック図である。共通のバスラインによって、ハードウェア全体を制御するＣＰＵ２、ＢＩＯＳ、拡張ＢＩＯＳ等を格納するＲＯＭ４、
ＯＳ、アプリケーション、更に本実施例の要部であるＺＺＨＩＧＨ．ＳＹＳ等を展開、実行するＲＡＭ６
ＭＳ−ＤＯＳシステム及び付属するデバイスドライバはＨＤＤ１６
からロードされ、ＣＯＮＦＩＧ．ＳＹＳ等の指定に基づいてＲＡＭ６上にメモリマップを展開する
　
　同様に、本願の優先権主張の日前に頒布された刊行物である特開２００３−０６７６８５号公報には、図面とともに以下の事項が記載されている。
エ．「【００１３】同電子機器は、マイクロプロセッサ（ＣＰＵ）１、メモリ２、入力装置３、及びハードディスクドライブ（ＨＤＤ）４を有する。メモリ２は、
ＣＰＵ１の動作に必要な各種プログラム（同実施形態に関するデバイスドライバを含む）をロードするためのメインメモリ（ＤＲＡＭ）
【００１４】
ＨＤＤ４は、ＣＰＵ１の動作に必要なＯＳや各種のアプリケーションを格納する外部記憶装置であり、後述するように、カード１０の制御に必要なデバイスドライバ（制御用ソフトウェア）群４０及びＩＤデータベース４１をそれぞれファイルとして格納している
オ．「【００２１】ホストコントローラ５は、カードスロット６にカード１０が装着されると、それを検知して第１のデバイスドライバ（Ａ）に通知する（ステップＳ１）。ここで、実際には、
ＨＤＤ４からデバイスドライバ（Ａ）がメインメモリにロードされて、ＣＰＵ１はデバイスドライバ（Ａ）を起動する
　
　さらに、本願の優先権主張の日前に頒布された刊行物である特開２００４−２２８６２２号公報には、図面とともに以下の事項が記載されている。
カ．「【００３０】
メインメモリ１３は、オペレーティングシステム、デバイスドライバ、実行対象のアプリケーションプログラム及び処理データ等を格納
【００３１】
第２のブリッジ回路１４は、ＨＤＤ（Ｈａｒｄ  Ｄｉｓｋ  Ｄｒｉｖｅ）１５及びＩ／Ｏ（Ｉｎ／Ｏｕｔ）コントローラ１６と接続される。
【００３２】
ＨＤＤ１５は、オペレーティングシステム、デバイスドライバ、実行対象のアプリケーションプログラム等が記憶されており、適時メインメモリ１３に転送
　
　ア〜カから、
　周辺機器を動作させるための当該周辺機器の駆動プログラムであるデバイスドライバとアプリケーションプログラムを磁気ディスク装置に格納すること、
　前記デバイスドライバと前記アプリケーションプログラムを主記憶のランダムアクセス領域にロードして前記デバイスドライバと前記アプリケーションプログラムを実行する、
ことは、いずれも、本願の優先権主張の日において、既に、技術常識であった。
　
ｂ．次に、本願の優先権主張の日前に頒布された刊行物である特開２０００−０６６７９７号公報には、図面とともに以下の事項が記載されている。
キ．「【０００２】
【従来の技術】従来、モニタに所定の画面を表示させるためには、この画面に関与する画面プログラム，画面ファイル，また、この画面に対して操作を行うことによって実行される
処理プログラム，この処理に伴う画面ファイル等、前記所定の画面に関与するプログラム，ファイル等、つまり、前記画面の画面オブジェクト
ク．「【００１９】このオブジェクト管理処理では、起動されると、まず、ステップＳ１で、
外部記憶装置５に格納されている親画面オブジェクトをメインメモリ２にロードすると共に、予め設定されて外部記憶装置５に格納さている親子関係テーブルＴをメインメモリ２にロードする。この親子関係テーブルＴは、親画面及びこの親画面において指定可能な子画面等に基づいて予め設定されたテーブルであって、例えば図４に示すように形成されている。つまり、親画面において指定された子画面を特定するための子画面選択項目を表す親画面実行結果１１と、ロードすべき子画面オブジェクトを特定するための子画面情報１２と、子画面オブジェクトが起動された後に再度親画面オブジェクトを起動させる必要があるか、つまり、親画面に復帰する子画面であるかどうかを表す再起情報（定義情報）１３とから構成
　
　本願の優先権主張の日前に頒布された刊行物である特開平０７−０９３２１４号公報には、図面とともに以下の事項が記載されている。
ケ．「【００１１】
ハードディスクドライブ（ＨＤＤ）１０６は、メインメモリ１０４にロードするプログラムや各種のテーブルを格納する。メインメモリ１０４にロードするプログラムは、ファイル管理部のプログラムとファイルを利用するサーバアプリケーションプログラムとからなる。
コ．「【００１８】図５はキャッシュ管理テーブルの構成を示す図である。同図に示すように、キャッシュ管理テーブルは、キャッシュの状態を表すフラグ５０１、キャッシュのデータの格納先であるメディアのメディア番号５０２、メディア上のブロックのアドレス（ブロック番号）５０３、キャッシュに格納されたデータの階層順位５０４からなる。……（中略）……
階層順位５０４はデータのアクセス頻度を表し、アプリケーションプログラムがデータをアクセスする際に設定される。
ＣＰＵ１０１は、ファイル管理テーブル、メディア管理テーブル、装填テーブルを電源ＯＦＦの手続きによって磁気ディスクに記録し、電源投入によってメインメモリ１０４にロードする
　
　さらに、本願の優先権主張の日前に頒布された刊行物である特開平０６−２９００１１号公報には、図面とともに以下の事項が記載されている。
サ．「【００４８】第２実施例では、
文字処理に関わる各種の初期（デフォルト）値を記載したテーブルが補助記憶装置３に設置されたシステムディスクから電源起動時に読出され、メインメモリ２内の専用領域にロードされる
シ．「【００５６】
ＣＰＵ１において文書処理装置機能が起動されると
標準データテーブルがメインメモリ２内にロードされ、
　
　キ〜シから、
　アプリケーションプログラムの実行に用いられるデータをテーブルとして、前記アプリケーションプログラムの実行に際して、前記アプリケーションプログラムとともに主記憶のランダムアクセス領域にロードして用いる、
ことは、本願の優先権主張の日において、既に、周知慣用の事項であった。
　
ｃ．そして、本願の優先権主張の日前に頒布された刊行物である特開平０８−２０１７２１号公報には、図面とともに以下の事項が記載されている。
ス．「【００１７】請求項９に記載の発明の構成は、
映像表示装置を含み
信号を制御すると共に複数のマルチメディアの周辺装置と接続され、もって複数のマルチメディア機能を実行するコンピュータ
当該コンピュータ、前記周辺装置および前記映像表示装置は、一つのコンパクトなパッケージに統合されている
　
　本願の優先権主張の日前に頒布された刊行物である特開２００４−１６４７７８号公報には、図面とともに以下の事項が記載されている。
セ．「【００２４】
図２に示すように、第１のクライアント装置であるパソコン１０１は、メディア装填機構１１、データ読取部１２および送受信部１３を備えて構成されている。メディア装填機構１１は、ＣＤ，ＳＡＣＤ，ＤＶＤ等のメディアを装填するＣＤドライブあるいはＤＶＤドライブである。新しい規格のメディアを再生したい場合は、少なくともパソコン１０１については当該新しい規格に対応する必要がある。
【００２５】
ここでは、第１のクライアント装置としてパソコン１０１を用いているが、
当該パソコン１０１の代わりに、ＣＤプレーヤ、ＤＶＤプレーヤ、ＭＤプレーヤ、カセットデッキ、ラジオチューナ等を備えたホームオーディオ装置を用い
ソ．「【００３１】
デコーダ２５は、ＣＤ、ＳＡＣＤ、ＤＶＤ、ＭＤ、ラジオ、テレビなどの複数種類のメディアに対応して複数種類備えられている。
　
　さらに、本願の優先権主張の日前に頒布された刊行物である特開２００４−５２７８１７号公報には、図面とともに以下の事項が記載されている。
タ．「【請求項７０】
ネットワークと、
ネットワーク接続を提供するためのシステムバス、及びネットワークインターフェースカード（ＮＩＣ）を有するホストコンピューターと
前記ネットワークに取り付けられたマルチメディアコンテンツを再生するための多数のマルチメディア再生機
前記コンピューターが各マルチメディア再生機をまるで前記コンピューターのシステムバスに直接に連結された地域ディバイスのように認識する仮想ホストバスアダプターを生成するために、前記ホストで実行されるディバイスドライバーを含む
　……（中略）……
【請求項７３】
前記マルチメディア再生機はＣＤドライブを含むことを特徴とする請求項７０記載のコンピュータージュークボックス。
【請求項７４】
前記マルチメディア再生機はＤＶＤドライブを含むことを特徴とする請求項７０記載のコンピュータージュークボックス。」
　
　ス〜タから、
　コンピュータに周辺装置として複数のマルチメディア再生装置を接続して、前記コンピュータを、作動させるマルチメディア再生装置に対応するマルチメディア再生機能を有するコンピュータシステムとして動作させる、
ことは、本願の優先権主張の日において、既に、常套手段であった。
　
（２）各相違点についての判断
　引用発明において、「コンピュータシステム」は、「ＣＤプレーヤないしＤＶＤプレーヤのいずれか」の「用途」で「動作する」とともに、「ＣＤ−ＲＯＭドライブ、ＤＶＤドライブ」が「接続され」ている。ここで、「コンピュータシステム」を「ＤＶＤプレーヤ」として「動作」させるとき「ＤＶＤドライブ」を作動させることは自明であるが、「ＣＤプレーヤ」として「動作」させるとにに「ＣＤ−ＲＯＭドライブ、ＤＶＤドライブ」のどちらを作動させるのか、引用文献には記載されていない。
　しかし、コンピュータに周辺装置として複数のマルチメディア再生装置を接続して、前記コンピュータを、作動させるマルチメディア再生装置に対応するマルチメディア再生機能を有するコンピュータシステムとして動作させることは、前記「（１）当業者の技術知識」の項の「ｃ」で指摘したとおり、常套手段であった。
　してみれば、引用発明の「コンピュータシステム」においては、「ＤＶＤドライブ」を作動させて「ＤＶＤプレーヤ」として「動作」させ、「ＣＤ−ＲＯＭドライブ」を作動させて「ＣＤプレーヤ」として「動作」させること、すなわち、「ＣＤ−ＲＯＭドライブ、ＤＶＤドライブ」のいずれかの「ドライブ」を選択すると「コンピュータシステム」の「用途」が決まるようにすることは、当業者が普通に想起すると認められる。
　
　さて、周辺装置を駆動・制御するソフトウェアとしては、普通は、デバイスドライバが用いられることは技術常識である。そして、デバイスドライバは、周辺装置の仕様が装置毎に異なることから、当該周辺装置を駆動・制御する機能をオペレーティングシステム本体から切り離し、その機能をデバイスドライバとして組み込んだソフトウェアである。
　したがって、前述のように、「ＣＤ−ＲＯＭドライブ、ＤＶＤドライブ」のいずれかの「ドライブ」を選択すると「コンピュータシステム」の「用途」が決まるようにするとき、「用途別に設けられた前記選択スイッチのいずれ」が「押下された」かに応じて「必要なオペレーティングシステムを判定」することと同様に、「ＣＤ−ＲＯＭドライブ、ＤＶＤドライブ」をそれぞれ駆動・制御するソフトウェアとしての複数のデバイスドライバの中から、「押下」された「選択スイッチ」により選択された「ドライブ」に応じたデバイスドライバを選択させることは、当業者であれば当然に想到する事項であると認められる。
　
　引用文献には、前記「第２．引用文献」の「１．引用文献の記載事項」の項において、Ｃで挙げたように、「「ＣＤ」は、このコンピュータシステムをＣＤプレーヤとして動作させるアプリケーションプログラムを動作制御するのに必要な最小限の機能をもつオペレーティングシステムを起動するためのスイッチであり、「ＤＶＤ」は、このコンピュータシステムをＤＶＤプレーヤとして動作させるアプリケーションプログラムを動作制御するのに必要な最小限の機能をもつオペレーティングシステムを起動するためのスイッチである。」と記載されている。してみれば、「ＣＤ」スイッチに「このコンピュータシステムをＣＤプレーヤとして動作させるアプリケーションプログラム」を対応付け、「ＤＶＤ」スイッチに「このコンピュータシステムをＤＶＤプレーヤとして動作させるアプリケーションプログラム」を対応付けることも、引用文献には示唆されていると認められる。
　したがって、引用発明において、個々の「選択スイッチ」に、「必要なオペレーティングシステム」を直接に対応付けていることと同様に、個々の「アプリケーションプログラム」も前記「選択スイッチ」に直接に対応付けることは、当然になし得たものと認められる。
　
　そして、前述のように、「ＣＤ−ＲＯＭドライブ、ＤＶＤドライブ」のいずれかの「ドライブ」を選択すると「コンピュータシステム」の「用途」が決まるようにした場合は、引用発明において、「選択スイッチ」のそれぞれを、「用途」に対応付けることに代えて、「ＣＤ−ＲＯＭドライブ、ＤＶＤドライブ」のいずれかに対応付けることは、当然になすべき事項であると認められる。
　
　以上から、引用発明において、前述のように、「ＣＤ−ＲＯＭドライブ、ＤＶＤドライブ」のいずれかの「ドライブ」を選択すると「コンピュータシステム」の「用途」が決まるようにするに伴い、「複数の選択スイッチ」のそれぞれを、「必要なオペレーティングシステム」と対応付けるだけでなく、「ＣＤ−ＲＯＭドライブ、ＤＶＤドライブ」の各「ドライブ」に対応する個々のデバイスドライバ、個々の「アプリケーションプログラム」、及び、「ＣＤ−ＲＯＭドライブ、ＤＶＤドライブ」のいずれかとも対応づけることは、当業者であれば当然になし得たものと認められる。
　また、このように、「複数の選択スイッチ」のそれぞれを、「必要なオペレーティングシステム」、各「ドライブ」に対応する個々のデバイスドライバ、個々の「アプリケーションプログラム」、及び、「ＣＤ−ＲＯＭドライブ、ＤＶＤドライブ」のいずれかと、それぞれ、対応づける情報をテーブル形式の情報とすることは、当業者であれば適宜なし得た設計事項にすぎないものと認められる。
　
　さらに、前記「（１）当業者の技術知識」の項の「ａ」で指摘したとおり、
　周辺機器を動作させるための当該周辺機器の駆動プログラムであるデバイスドライバとアプリケーションプログラムを磁気ディスク装置に格納すること、
　前記デバイスドライバと前記アプリケーションプログラムを主記憶のランダムアクセス領域にロードして前記デバイスドライバと前記アプリケーションプログラムを実行すること、
が技術常識であった。
　また、前記「（１）当業者の技術知識」の「ｂ」の項で指摘したように、
　アプリケーションプログラムの実行に用いられるデータをテーブルとして、前記アプリケーションプログラムの実行に際して、前記アプリケーションプログラムとともに主記憶のランダムアクセス領域にロードして用いること、
は周知慣用の事項であった。
　そして、引用文献には、前記「第２．引用文献」の「１．引用文献の記載事項」における「Ｂ」の項に、「システムメモリ１２は、このコンピュータシステムの主記憶となるメモリデバイスであり、ＣＰＵ１１によって実行制御されるオペレーティングシステムやユーティリティを含むアプリケーションプログラムおよびこれらの実行に用いられる処理データを格納する。」と、
記載されている。
　
　以上の事項に鑑みれば、引用発明において、
　「磁気ディスク装置」に、「複数のオペレーティングシステムと、それらをシステムメモリにロードして起動するためのローダ」に加えて、「ＣＤ−ＲＯＭドライブ、ＤＶＤドライブ」の各「ドライブ」のデバイスドライバ、「コンピュータシステムを、それぞれ、ＣＤプレーヤないしＤＶＤプレーヤとして動作させるアプリケーションプログラム」、及び、「複数の選択スイッチ」のそれぞれを「必要なオペレーティングシステム」と前記各「ドライブ」の個々のデバイスドライバと個々の「アプリケーションプログラム」及び「ＣＤ−ＲＯＭドライブ、ＤＶＤドライブ」のいずれかとに対応づけるテーブル形式の情報を「格納」して、
　必要なデバイスドライバ及び必要な「アプリケーションプログラム」を実行するに際しては、それぞれを実行させるために必要となる前記テーブル形式の情報を「コンピュータシステム」の「システムメモリ」中にロードすることで、当該情報が参照されるようにして、
　参照する前記テーブル形式の情報中の、「押下」された「選択スイッチ」に対応するデバイスドライバを選択して実行し、
　前記参照する前記テーブル形式の情報中の、「押下」された「選択スイッチ」に対応する「アプリケーションプログラム」を選択して自動的に起動させ、
　「ＣＤ−ＲＯＭドライブ、ＤＶＤドライブ」のうち、「押下」された「選択スイッチ」に対応する「ドライブ」を作動させ、「押下」していない「選択スイッチ」に対応する「ドライブ」は作動させない、
ことは当業者が容易に想到し得たものと認められる。
　
　以上から、相違点１ないし相違点６は格別のものでない。
　
２．審判請求人の主張
　審判請求人は、平成２１年２月１７日付けの意見書において、
ａ．「本願発明は、「該データ保存メディア中より該装置起動クラスター表を該システムメモリ中のランダムアクセス領域中に読み込み」を行うことにより、データ保存メディア（ハードディスク）に格納されていた装置起動クラスター表をシステムメモリ内に読み込むことで、装置起動クラスター表の参照時にシステムメモリより情報処理が遅いデータ保存メディア（ハードディスク）へのアクセスを必要とせず、情報処理をより速く実行することができます。
　また、装置起動クラスター表読み込み後は、ハードディスクの電源を切っておくことができ、節電効果を得ることもできます。
　引用文献１に記載の発明は、当該効果について言及する記載はありません。」、
と主張している。
　
　また、審判請求人は、「請求の理由」として、
ｂ．「引用文献１に記載の発明には、段落００２９等の記載から理解されるとおり、「選択スイッチ１４１の押下の検出によって起動ＯＳが選択される」点が開示されているに過ぎず、本願発明における「装置起動クラスター表」の存在について何らの示唆もない。」、
ｃ．「本願発明においては、引用文献１のように、「装置起動クラスター表」は、ＣＰＵ、コアチップ、ＢＩＯＳ又はそれらの組合せ等ではなく、ＨＤＤなどのデータ保存メディア中に格納され、適宜システムメモリ中のランダムアクセス領域中に読み込まれるものであることから、マルチメディア再生装置の構成変更に伴って「装置起動クラスター表」の変更が要求される場合であっても、「装置起動クラスター表」の編集は容易であり、変更作業に伴う、システム全体への悪影響を極力低減させることができる、という効果を奏する。
　各引用文献には、上記本願発明が有する有利な効果について何ら教える記載はない。」と、それぞれ、主張している。
　
　上記各主張について検討すると、
　前記ａの主張について、引用発明において、「前記押下された選択スイッチに対応付けられたオペレーティングシステムの起動後」に、「前記コンピュータシステムを前記押下された選択スイッチに対応付けられた用途のシステムとして動作させるアプリケーションプログラム」を実行するために用いられる前記テーブルのデータを「磁気ディスク装置」から「システムメモリ」にロードすることは、前記「（２）各相違点についての判断」で述べたように、当業者であれば当然に行い得た事項であると認められる。
　そして、「装置起動クラスター表読み込み後は、ハードディスクの電源を切っておくことができ」るとの効果は、本願の請求項１の記載に基づくものとは認められないが、上記のように、前記テーブル形式のデータを「磁気ディスク装置」から「システムメモリ」にロードするという構成から、当業者であれば当然に予期し得る構成であると認められる。
　
　前記ｂの主張について、引用発明において、前記「第３．対比」の「ｄ」の項で述べたとおり、引用発明の「コンピュータシステム」は、「複数の選択スイッチ」のそれぞれと各「選択スイッチ」の「用途」を対応付けるとともに、前記「複数の選択スイッチ」のそれぞれと「起動すべきオペレーティングシステム」を「対応付け」、前記「複数の選択スイッチ」のそれぞれに「動作させるアプリケーションプログラム」を「対応」させる情報を有していることは、明らかである。
　したがって、前記ｂの主張は当を得ていない。
　
　前記ｃの主張は、本願の請求項１に記載された「データ保存メディア」がハードディスク等であり、該「データ保存メディア」上のデータ「システムメモリ」に読み込むことを前提とする主張であるが、この点については引用発明も相違せず、この主張は当を得ていない。さらに、「マルチメディア再生装置」の構成変更に伴って「装置起動クラスター表」の変更を行う旨の記載は、本願の請求項１に記載されておらず、前記ｃの主張は、本願の特許請求の範囲に基づくものではない。
　なお、引用発明において、「前記押下された選択スイッチに対応付けられたオペレーティングシステムの起動後」に、「前記コンピュータシステムを前記押下された選択スイッチに対応付けられた用途のシステムとして動作させるアプリケーションプログラム」を実行するために用いられる前記テーブルのデータを「磁気ディスク装置」から「システムメモリ」にロードすることは、前記「（２）各相違点についての判断」で述べたように、当業者であれば当然に行い得た事項であると認められるから、前記主張の効果は、引用発明から予期し得たものと認められる。
　
　したがって、前記の各主張は、いずれも当を得ておらず、これらを採用することはできない。
　
３．小括
　以上の通りであるから、相違点１ないし相違点６は、いずれも格別のものではない。そして、本願発明の効果も、引用発明から当業者が予期し得たものと認められる。
　したがって、本願発明は、引用発明に基いて当業者が容易に発明をすることができたものであると認められる。
　
　
第５．むすび
　以上のとおり、本願発明は、引用発明に基いて当業者が容易に発明をすることができたものであるから、特許法第２９条第２項の規定により特許を受けることができない。
　
　よって、結論のとおり審決する。